(57)【特許請求の範囲】
【請求項１】
透明部と、開口を形成する開口部と、を有するケースと、
前記ケースに設けられ、前記透明部を通過した光を光電変換することでシートの画像情報を読み取る受光素子と、前記開口を介して前記ケースの外方へ突出する突出部を有し且つ前記受光素子を支持する支持部材と、を有する読取ユニットと、
前記支持部材と共に前記開口を埋めるように設けられる弾性部材と、
を備え、
前記突出部は、前記弾性部材を弾性変形させながら前記開口内を移動可能であり、
前記支持部材に支持される前記受光素子は、前記突出部が前記ケースの外方で移動する際に前記ケース内で移動する、
ことを特徴とする画像読取装置。
【請求項２】
前記ケースは、前記透明部を有する第１ケース部材と、前記第１ケース部材と共に前記読取ユニットを収容する第２ケース部材と、を有する、
ことを特徴とする請求項１に記載の画像読取装置。
【請求項３】
前記第１ケース部材及び前記第２ケース部材の少なくともいずれか一方は、前記支持部材を回動可能に支持する、
ことを特徴とする請求項２に記載の画像読取装置。
【請求項４】
前記受光素子は、所定方向に配列され、
前記支持部材の回動中心は、前記所定方向に配列された前記受光素子の列の前記所定方向における延長線に交差するように配置される、
ことを特徴とする請求項３に記載の画像読取装置。
【請求項５】
前記回動中心は、前記所定方向における前記支持部材の一端に配置され、
前記突出部は、前記所定方向における前記支持部材の他端に配置される、
ことを特徴とする請求項４に記載の画像読取装置。
【請求項６】
前記開口及び前記弾性部材は、それぞれ第１の開口及び第１の弾性部材であり、
前記ケースは、前記支持部材の前記一端を前記ケースの外方に突出させる第２の開口を形成する第２開口部を有し、
前記支持部材の前記一端と共に前記第２の開口を埋めるように設けられる第２の弾性部を備える、
ことを特徴とする請求項５に記載の画像読取装置。
【請求項７】
前記弾性部材は、前記ケースに前記受光素子が収容されている状態において、前記第１ケース部材及び前記第２ケース部材によって加圧されている、
ことを特徴とする請求項２乃至６のいずれか１項に記載の画像読取装置。
【請求項８】
前記支持部材は、前記第１ケース部材に支持され、
前記第２ケース部材と前記支持部材との間に配置され、前記支持部材を前記第１ケース部材に向けて付勢する付勢部を備える、
ことを特徴とする請求項２乃至７のいずれか１項に記載の画像読取装置。
【請求項９】
前記第１ケース部材は、搬送されるシートを案内する案内部を有する、
ことを特徴とする請求項２乃至８のいずれか１項に記載の画像読取装置。
【請求項１０】
前記突出部に係合し、前記受光素子の位置を調整可能な調整部を備える、
ことを特徴とする請求項１乃至９のいずれか１項に記載の画像読取装置。
【請求項１１】
前記ケースを支持する支持部を備え、
前記支持部材は、前記受光素子の位置が前記調整部によって調整された後に、前記支持部に固定される、
ことを特徴とする請求項１０に記載の画像読取装置。
【請求項１２】
前記弾性部材は、発泡材料から構成される、
ことを特徴とする請求項１乃至１１のいずれか１項に記載の画像読取装置。
【請求項１３】
前記読取ユニットは、シートに向けて光を発する発光素子を有し、
前記受光素子は、前記発光素子から発せられシートで反射した光を受光する、
ことを特徴とする請求項１乃至１２のいずれか１項に記載の画像読取装置。
【請求項１４】
シートを給送する給送ユニットを備え、
前記ケースは、前記給送ユニットに固定される、
ことを特徴とする請求項１乃至１３のいずれか１項に記載の画像読取装置。
【請求項１５】
搬送されるシートの第１面の画像情報を読み取る読取部を有し、前記給送ユニットを開閉可能に支持する本体ユニットを備え、
前記受光素子は、シートの前記第１面とは反対の第２面の画像を読み取る、
ことを特徴とする請求項１４に記載の画像読取装置。
【請求項１６】
変形部及び透明部を有し、内部を密閉するように形成される密閉ユニットと、
前記密閉ユニットの内部に配置され、前記透明部を通過した光を光電変換することでシートの画像情報を読み取る受光素子と、前記密閉ユニットの外方へ突出する突出部を有し、前記受光素子を支持する支持部材と、を有する読取ユニットと、を備え、
前記支持部材に支持される前記受光素子は、前記突出部が前記密閉ユニットの外方で移動する際に前記密閉ユニット内で移動し、
前記突出部は、前記密閉ユニットの密閉状態を維持する前記変形部を変形させながら移動可能である、
ことを特徴とする画像読取装置。
【請求項１７】
請求項１乃至１６のいずれか１項に記載の画像読取装置と、
前記画像読取装置によって読み取られた画像情報に基づいて画像を形成する画像形成部と、を備えた、
ことを特徴とする画像形成装置。
【発明の詳細な説明】
【技術分野】
【０００１】
本発明は、シートの画像を読み取る画像読取装置及びこれを備える画像形成装置に関する。
【背景技術】
【０００２】
従来、複写機やファクシミリ等の画像形成装置においては、原稿の画像を光学的に読み取る画像読取装置を備えたものが知られている。この種の画像読取装置は、原稿を１枚ずつ搬送する自動原稿搬送装置（Ａｕｔｏ  Ｄｏｃｕｍｅｎｔ  Ｆｅｅｄｅｒ、以下ＡＤＦとする）と、搬送される原稿の画像を、プラテンガラスを介して読み取るスキャナ部と、を有している。
【０００３】
ここで、プラテンガラスの表面に異物が付着した場合、スキャナ部から出射される光が異物によって遮光されることで、読み取られた画像情報に線状の画像ノイズ（以下、「画像スジ」という）が生じることがある。このような異物としては、例えば、原稿から発生する紙粉や、原稿を搬送する搬送ローラの削りカス等がある。そこで、プラテンガラスを電気的に接地させることで異物とプラテンガラスとの間に作用する静電吸着力を緩和し、搬送される原稿の先端によってプラテンガラスに付着した異物を掻きとってプラテンガラスを清掃する構成が知られている。
【０００４】
一方、画像読取装置の中には、原稿の表面及び裏面に対応する２つのスキャナ部を配置して、ＡＤＦによる１度の原稿搬送によって原稿の両面から画像情報を取得するものがある。このような画像読取装置においても、原稿の裏面が対向するプラテンガラスに異物が付着していると、読み取られた画像情報に画像スジが発生してしまう。
【０００５】
そこで、従来、図１１に示すように、原稿の裏面の画像情報を読取ガラス１２を介して読み取る読取センサ１３と、読取センサ１３に対向し、清掃ブラシ５４を有する軸部材５３と、を備えた画像読取装置が提案されている（特許文献１参照）。この画像読取装置は、軸部材５３が回転することで清掃ブラシ５４が読取ガラス１２に付着した異物を清掃し、画像スジの発生を防止する。
【先行技術文献】
【特許文献】
【０００６】
【特許文献１】特開２０１２−７０１２６号公報
【発明の概要】
【発明が解決しようとする課題】
【０００７】
しかしながら、特許文献１に記載の原稿読取装置は、読取ガラス１２の搬送路側に付着した異物を除去することはできるが、読取ガラス１２と読取センサ１３との間で浮遊している異物を除去することはできない。このため、読取ガラス１２と読取センサ１３との間に異物が侵入してしまった場合に画像スジが発生してしまい、良好に原稿を読み取れない虞がある。
【０００８】
また、精度よく原稿の画像情報を読み取るためには、読取センサ１３の読取ラインと原稿の先端とが平行な状態で、原稿が搬送される必要がある。しかしながら、部品交差等によって読取センサ１３の読取ラインと原稿の先端位置とがずれてしまう場合があり、その際には、読取センサ１３の位置を調整する必要があった。
【０００９】
そこで、本発明は、読取部と透明部との間に異物が侵入することを防止しつつ、読取部の位置調整が容易となるように構成し、上述した課題を解決した画像読取装置及びこれを備えた画像形成装置を提供することを目的とする。
【課題を解決するための手段】
【００１０】
本発明は、画像読取装置において、透明部と、開口を形成する開口部と、を有するケースと、前記ケースに設けられ、前記透明部を通過した光を光電変換することでシートの画像情報を読み取る受光素子と、前記開口を介して前記ケースの外方へ突出する突出部を有し且つ前記受光素子を支持する支持部材と、を有する読取ユニットと、前記支持部材と共に前記開口を埋めるように設けられる弾性部材と、を備え、前記突出部は、前記弾性部材を弾性変形させながら前記開口内を移動可能であり、前記支持部材に支持される前記受光素子は、前記突出部が前記ケースの外方で移動する際に前記ケース内で移動する、ことを特徴とする。
【００１１】
また、本発明は、画像読取装置において、変形部及び透明部を有し、内部を密閉するように形成される密閉ユニットと、前記密閉ユニットの内部に配置され、前記透明部を通過した光を光電変換することでシートの画像情報を読み取る受光素子と、前記密閉ユニットの外方へ突出する突出部を有し、前記受光素子を支持する支持部材と、を有する読取ユニットと、を備え、前記支持部材に支持される前記受光素子は、前記突出部が前記密閉ユニットの外方で移動する際に前記密閉ユニット内で移動し、前記突出部は、前記密閉ユニットの密閉状態を維持する前記変形部を変形させながら移動可能である、ことを特徴とする。
【発明の効果】
【００１２】
本発明によると、受光素子と透明部との間に異物が侵入することを防止して、読取精度を向上することができる。また、受光素子の位置を容易に調整することができる。
【図面の簡単な説明】
【００１３】
【図１】第１の実施の形態に係るプリンタを示す全体概略図。
【図２】画像読取装置を示す全体側面図。
【図３】第２読取ユニット及び密閉部を示す側面図。
【図４】（ａ）は密閉部を示す分解斜視図。（ｂ）は密閉部及び調整レバーを示す斜視図。
【図５】（ａ）は斜行した原稿が第２読取ユニットに搬送される状態を示す平面図。（ｂ）は位置調整後の第２読取ユニット及び原稿を示す平面図。
【図６】密閉部を示す平面図。
【図７】軸部の中心線及び読取ラインの位置関係を示す斜視図。
【図８】（ａ）は第２読取ユニットの突出部及び調整レバーを示す斜視図。（ｂ）は第２読取ユニットの突出部を示す斜視図。
【図９】（ａ）は調整レバー及び弾性部材を示す斜視図。（ｂ）は第２読取ユニットの突出部及び弾性部材を示す斜視図。
【図１０】第２の実施の形態に係る第２読取ユニット及び密閉部を示す側面図。
【図１１】従来の画像読取装置を示す側面断面図。
【発明を実施するための形態】
【００１４】
＜第１の実施の形態＞
以下、本開示に係る画像読取装置及び画像形成装置について、図面を参照しながら説明する。以下の実施形態に記載されている構成部品の寸法、材質、形状、その相対配置などは、特に特定的な記載がない限りは、本技術の適用範囲をそれらのみに限定する趣旨のものではない。
【００１５】
［プリンタの概略構成］
まず、画像形成装置としてのプリンタ１０１の概略構成について図１を参照しながら説明する。プリンタ１０１は、図１に示すように、プリンタ本体１０１Ａと、画像読取装置１０３とを備えている。プリンタ本体１０１Ａの上方に配置された画像読取装置１０３は、詳しくは後述するように装置本体３０とＡＤＦ１とを備え、原稿Ｄを光学的に走査して画像情報を読み取る。原稿Ｄとは、用紙及び封筒等の紙、オーバーヘッドプロジェクタ用シート（ＯＨＰ）等のプラスチックフィルム、布などのシートである。画像読取装置１０３によって電気信号に変換された画像情報は、プリンタ本体１０１Ａに設けられた制御部１３２へと転送される。
【００１６】
プリンタ本体１０１Ａは、記録媒体であるシートＰに画像を形成する画像形成部１３３と、画像形成部１３３にシートＰを給送するシート給送部３４と、を有している。シート給送部３４は、互いに異なるサイズのシートを収納可能なシート収納部１３７ａ，１３７ｂ，１３７ｃ，１３７ｄを備えている。各シート収納部に収納されたシートは、ピックアップローラ３２によって繰り出され、フィードローラ３３ａ及びリタードローラ３３ｂによって１枚ずつ分離されて、対応する搬送ローラ対１３１へと受け渡される。そして、シートＰは、シート搬送路に沿って配置された複数の搬送ローラ対１３１に順に受け渡されることで、レジストレーションローラ対１３６へと搬送される。
【００１７】
なお、ユーザによって手差しトレイ１３７ｅに載置されたシートＰは、給送ローラ１３８によってプリンタ本体１０１Ａの内部に給送され、レジストレーションローラ対１３６へと搬送される。レジストレーションローラ対１３６は、シートＰの先端を停止させて斜行を補正すると共に、画像形成部１３３によるトナー像の形成プロセスである作像動作の進行に合わせてシートＰの搬送を再開する。
【００１８】
シートＰに画像を形成する画像形成部１３３は、感光体である感光ドラム１２１を備えた電子写真方式の画像形成ユニットである。感光ドラム１２１は、シートＰの搬送方向に沿って回転可能であり、感光ドラム１２１の周囲には帯電器１１８、露光装置１２３、現像器１２４、転写帯電器１２５、分離帯電器１２６、及びクリーナ１２７が配置されている。帯電器１１８は感光ドラム１２１の表面を一様に帯電させ、露光装置１２３は画像読取装置１０３等から入力される画像情報に基づいて感光ドラム１２１を露光し、ドラム上に静電潜像を形成する。
【００１９】
現像器１２４は、トナー及びキャリアを含む二成分現像剤を収容しており、感光ドラム１２１に帯電したトナーを供給することで静電潜像をトナー像に現像する。感光ドラム１２１に担持されたトナー像は、転写帯電器１２５が形成するバイアス電界により、レジストレーションローラ対１３６から搬送されるシートＰに転写される。トナー像を転写されたシートＰは、分離帯電器が形成するバイアス電界によって感光ドラム１２１から離間し、定着前搬送部１２８によって定着部１２９へ向けて搬送される。なお、シートＰに転写されずに感光ドラム１２１に残留した転写残トナー等の付着物はクリーナ１２７によって除去され、感光ドラム１２１は次の作像動作に備える。
【００２０】
定着部１２９に搬送されたシートＰは、ローラ対に挟持されて加圧されながら加熱され、トナーの溶融・固着により画像を定着させられる。画像出力が完了している場合、定着画像が得られたシートＰは、排出ローラ対４０を介して、プリンタ本体１０１Ａの外方に突出した排出トレイ１３０に排出される。両面印刷においてシートＰの裏面に画像を形成する場合、定着部１２９を通過したシートＰは、反転部１３９によって表面と裏面とを入れ替えられ、両面搬送部１４０によってレジストレーションローラ対１３６へと搬送される。そして、画像形成部１３３によって再び画像を形成されたシートＰは、排出トレイ１３０に排出される。
【００２１】
［画像読取装置］
次に、図２を参照して、画像読取装置１０３の構成を説明する。図２に示すように、画像読取装置１０３は、画像読取装置本体（以下、単に「装置本体」とする）３０と、原稿給送部であるＡＤＦ１と、によって構成される。また、画像読取装置１０３は、装置本体３０に配置された第１読取ユニット１５１と、ＡＤＦ１に配置された第２読取ユニット２０１（読取部、読取ユニット）と、を備えている。以下、画像読取装置１０３を構成する各要素について説明する。
【００２２】
第１読取ユニット１５１は、原稿Ｄの第１面から画像情報を読取る第１読取部の一例である。また、第２読取ユニット２０１は、原稿Ｄの第１面とは反対側の第２面の画像を読取る第２読取部の一例である。本実施形態における第１面とは、両面読取部ＤＲにおける原稿Ｄの下側の面であり、第２面とは両面読取部ＤＲにおける原稿Ｄの上側の面である。第１読取ユニット１５１及び第２読取ユニット２０１は、ＡＤＦ１によって搬送される原稿Ｄの両面を同時に読取可能な両面読取部ＤＲを構成している。ただし、両面読取部ＤＲは常に両面の同時読取りを実行するとは限らず、片面のみの読取りも可能である。
【００２３】
第１読取ユニット１５１及び第２読取ユニット２０１は、等倍光学系の走査装置である密着イメージセンサ（Ｃｏｎｔａｃｔ  Ｉｍａｇｅ  Ｓｅｎｓｏｒ、以下、ＣＩＳとする）からなる。第１読取ユニット１５１及び第２読取ユニット２０１は、原稿Ｄの搬送方向に直交する主走査方向に配列されたＬＥＤアレイからなる光源と、同じく主走査方向に配列された複数の受光素子２１１（例えば図５参照）と、を備えている。ＬＥＤアレイから放出され、原稿Ｄによって反射された反射光は、レンズを介して各受光素子に結像され、受光素子によって光電変換される。
【００２４】
装置本体３０は、プリンタ本体１０１Ａの上面に固定されている（図１参照）。装置本体３０の上面には、図２に示すように、フラットベッド型の原稿台３１が配置されている。第１読取ユニット１５１は、図中左右方向に移動可能なキャリッジ（不図示）に支持されており、両面読取部ＤＲにおける所定位置（図示した位置）から、原稿台３１に沿って原稿台３１の全長に亘って移動可能である。
【００２５】
ＡＤＦ１は、図中奥側に配置された不図示のヒンジ機構によって、装置本体３０に対して上下方向に開閉可能に支持されている。ＡＤＦ１は、第２読取ユニット２０１の他に、原稿給送トレイ２と、原稿搬送部１１と、を備えている。原稿給送トレイ２は、ユーザによって載置された原稿Ｄを支持する。原稿搬送部１１は、内部に原稿搬送路Ｔが形成されており、原稿給送トレイ２に載置された原稿Ｄを、原稿搬送路Ｔを介して両面読取部ＤＲに給送する。
【００２６】
次に、原稿搬送部１１について詳しく説明する。原稿搬送部１１は、ピックアップローラ４と、フィードローラ５と、リタードローラ６と、レジストレーションローラ対７と、搬送ローラ対８，９と、排出ローラ対１０とを、シート搬送方向である原稿の搬送方向（図中矢印で示す）に沿ってこの順に有している。ピックアップローラ４は、原稿給送トレイ２の上面に対して上下方向に移動可能であり、原稿給送トレイ２上の原稿Ｄに当接して給送を開始する。フィードローラ５は、ピックアップローラ４から受け取った原稿Ｄを搬送方向の下流へ向けて搬送する。リタードローラ６は、フィードローラ５に圧接され、トルクリミッタを介して搬送方向に逆らう方向の回転駆動が入力されており、フィードローラ５によって搬送される原稿Ｄを１枚ずつに分離する。
【００２７】
レジストレーションローラ対７は、回転を停止した状態で、フィードローラ５によって搬送される原稿Ｄの搬送方向下流端（以下、先端とする）を受け止め、原稿Ｄを撓ませて斜行を補正する。また、レジストレーションローラ対７は、斜行が補正された原稿Ｄを、原稿搬送路Ｔの屈曲部を介して搬送し、搬送ローラ対８に受け渡す。搬送ローラ対８は、原稿Ｄを両面読取部ＤＲに送り込んで、下流側の搬送ローラ対９に受け渡す。このとき、第１読取ユニット１５１及び第２読取ユニット２０１により、原稿Ｄの画像が読み取られる。搬送ローラ対９は、両面読取部ＤＲを通過した原稿Ｄを排出ローラ対１０に受け渡す。排出ローラ対１０は、原稿Ｄを原稿排出部３に排出する。
【００２８】
このように構成された画像読取装置１０３は、ＡＤＦ１により原稿Ｄを給送しながら原稿画像を走査する流し読みモードと、原稿台３１に載置された原稿を走査する固定読みモードと、により、原稿Ｄから画像情報を読み取る。流し読みモードは、原稿給送トレイ２に載置された原稿Ｄを装置が検出した場合、又はプリンタ本体１０１Ａの操作パネル等によってユーザが明示的に指示した場合に選択される。この場合、第１読取ユニット１５１が両面読取部ＤＲの所定位置にある状態で、ＡＤＦ１が原稿Ｄを両面読取部ＤＲへ向けて１枚ずつ給送する。そして、両面同時読取の場合には第１読取ユニット１５１及び第２読取ユニット２０１の両方が、片面読取の場合にはこれらの一方が、原稿Ｄに走査光を照射して走査する。受光素子によって電気信号に変換された画像情報は、プリンタ本体１０１Ａの制御部１３２へと転送される。
【００２９】
一方、固定読みモードは、原稿台３１に載置された原稿Ｄを装置が検出した場合又はプリンタ本体１０１Ａの操作パネル等によってユーザが明示的に指示した場合に選択される。この場合、第１読取ユニット１５１が、原稿台３１に沿って移動しながら光を照射して原稿台３１に載置された原稿Ｄを走査する。そして、第１読取ユニット１５１の受光素子によって電気信号に変換された画像情報は、プリンタ本体１０１Ａの制御部１３２へと転送される。
【００３０】
［両面読取部の詳細構成］
次に、両面読取部ＤＲの、特に原稿Ｄの第２面の読取構成について説明する。両面読取部ＤＲは、図３に示すように、第２読取ユニット２０１を覆って密閉する密閉部２００と、原稿搬送路Ｔの一部を構成する搬送ガイド２１０と、を有している。
【００３１】
ところで、原稿Ｄを両面読取部ＤＲに搬送するために、原稿Ｄを搬送する各ローラ対には、シート搬送方向に対して垂直に所定の圧力がかかっている。そのため、原稿Ｄが搬送される過程において、原稿Ｄの面がローラにより削られ、紙粉が発生する。その発生した紙粉はＡＤＦ１の内部を浮遊する。また、使用環境によっては埃等がＡＤＦ１の内部に入り込む（これらのゴミを以下、「浮遊ゴミ」と呼ぶ）。
【００３２】
これらＡＤＦ１の内部に浮遊している浮遊ゴミが第２読取ユニット２０１の読取面と後述する透明部２０９の隙間に入り込むと、第２読取ユニット２０１から出射される光が遮光され、結果、読み取られた画像がスジ画像となる虞がある。更に、第２読取ユニット２０１は、ＡＤＦ１の内部に存在するため、第２読取ユニット２０１の読取面と透明部２０９の隙間のゴミをユーザによって清掃することは困難であり、場合によってはサービスマンを呼ぶ必要がある。そのため、第２読取ユニット２０１と透明部２０９の隙間に浮遊ゴミを入れない構成が必要となる。そこで、本実施の形態では、第２読取ユニット２０１を、透明部２０９を有する密閉部２００によって密閉し、第２読取ユニット２０１と透明部２０９との間に浮遊ゴミが入り込むことを防止している。
【００３３】
密閉部２００は、図３及び図４に示すように、搬送ガイド２１０に対向する第１密閉部材２０２と、弾性部材２０４と、弾性部材２０４を介して第１密閉部材２０２と共に第２読取ユニット２０１を覆って密閉する第２密閉部材２０３と、を有している。第１密閉部材２０２は、ＡＤＦ１の筐体（不図示）に支持されている。また、第１密閉部材２０２は、搬送される原稿Ｄに対向しかつ第２読取ユニット２０１の光源から出射される光を透過する透明部２０９と、透明部２０９及び搬送ガイド２１０と共に原稿搬送路Ｔを構成する案内部２０２ａと、を有している。第１密閉部材２０２及び第２密閉部材２０３は、ポリアセタールやポリアミド等の樹脂材料によって構成されている。なお、本実施の形態では、第１密閉部材２０２が透明部２０９を保持しているが、第１密閉部材２０２自体が透明な材料、例えば透明な樹脂等で形成されてもよい。第１密閉部材２０２と、第２密閉部材２０３は、第２読取ユニット２０１を内部に収容するケース３００を構成する。
【００３４】
第２密閉部材２０３は、弾性部材２０４（変形部）を介して、第１密閉部材２０２と共に第２読取ユニット２０１を覆って密閉している。第２密閉部材２０３は、第１密閉部材２０２の上方で、第１密閉部材２０２に重なるように配置され、第１密閉部材２０２の固定部２０２ｂ，２０２ｃに対して、第２密閉部材２０３の係合部２０３ｂ，２０３ｃがネジ留め等によって固定される。
【００３５】
第２密閉部材２０３と第２読取ユニット２０１との間には、第２読取ユニット２０１を第１密閉部材に向けて付勢するバネ等の付勢部材２０８（付勢部）が設けられている。第２読取ユニット２０１は、付勢部材２０８の付勢力によって重力方向に位置決めされ、第２読取ユニット２０１の焦点深度範囲ＰＲが、原稿搬送路Ｔの高さに対応するように構成されている。これにより、第２読取ユニット２０１のピントが搬送されてくる原稿Ｄに対して確実に合い、画像読取精度を向上することができる。
【００３６】
弾性部材２０４は、ウレタン系からなる発泡材料、若しくはエチレンプロプレンゴムからなる発泡材料によって構成されており、第１密閉部材２０２と第２密閉部材２０３のみで密閉空間を作ることができなかった箇所（隙間）を埋めるように配置されている。そして、弾性部材２０４は、密閉部２００が第２読取ユニット２０１を密閉している状態において、第１密閉部材２０２及び第２密閉部材２０３によって加圧されている。なお、弾性部材２０４は、第１密閉部材２０２と第２密閉部材２０３のいずれか一方に配置しても、両方に配置してもよい。また、本実施の形態では、弾性部材２０４は、複数の弾性部材に分割して構成されているが、一つの弾性部材から構成してもよい。
【００３７】
図５（ａ）に示すように、第２読取ユニット２０１は、複数の受光素子２１１を内蔵している。複数の受光素子２１１（センサ列）は、原稿Ｄの搬送方向に直交する主走査方向（所定方向）に配列されており、主走査方向に平行な読取ラインＲ１上において原稿Ｄの画像情報を読み取る。読取ラインＲ１は、受光素子２１１の主走査方向における延長線である。
【００３８】
このため、原稿Ｄは、先端が読取ラインＲ１に平行な状態で搬送される必要があるが、図５（ａ）に示すように、原稿Ｄが両面読取部ＤＲに搬送される過程において斜行してしまう場合がある。一般に、原稿Ｄが斜行する原因は、主走査方向に並ぶ搬送ローラ対の搬送力の違いや、原稿搬送路Ｔを構成する搬送ガイドの凹凸等があるが、原稿Ｄの斜行は１枚のみで終了せず、以降に搬送される原稿にも継続する傾向がある。このような場合には、第２読取ユニット２０１が密閉された状態を維持しつつ、図５（ｂ）に示すように、搬送される原稿Ｄの先端と第２読取ユニット２０１の読取ラインＲ１とが平行になるように、第２読取ユニット２０１を位置調整する必要がある。
【００３９】
［第２読取ユニットの位置調整構成］
次に、第２読取ユニット２０１を位置調整するための構成について説明する。本実施形態では、第１密閉部材２０２は、案内部２０２ａを有しており、案内部２０２ａと対向する搬送ガイド２１０とのギャップを正確に維持するため、第１密閉部材２０２を移動させることができないようになっている。そこで、第１密閉部材２０２を固定したまま、第２読取ユニット２０１の位置を調整できるようにしている。第１密閉部材２０２には、図６及び図７に示すように、第２読取ユニット２０１を回動可能に支持する軸部２０５が形成されており、第２読取ユニット２０１の一端２２１には、軸部２０５に係合する係合孔２０１ａが形成されている。第２読取ユニット２０１は、これら軸部２０５及び係合孔２０１ａを中心として回動可能に構成されている。また、第１密閉部材２０２の一端側には、第２読取ユニット２０１の一端２２１が貫通する開口２３１が形成されており、開口２３１と第２読取ユニット２０１の一端２２１との間の空間には、弾性部材２０４が配置されている。
【００４０】
第２読取ユニット２０１の主走査方向における他端には、図８に示すように、密閉部２００の外方に突出する突出部２０１ｂが形成されている。また、第１密閉部材２０２の他端側には、図４及び図９に示すように、第２読取ユニット２０１の突出部２０１ｂがケース３００の外部に貫通する開口２３２が形成されている。開口２３２と第２読取ユニット２０１の突出部２０１ｂとの間の空間には、弾性部材２０４が配置されている。突出部２０１ｂには、図８（ａ）に示すように、調整レバー２０６（調整部）が係合しており、ユーザ又はサービスマンは、調整レバー２０６を操作することで、第２読取ユニット２０１を軸部２０５及び係合孔２０１ａを中心として回動させることができる。調整レバー２０６は、第２読取ユニット２０１の位置調整が終わった後に、第１密閉部材２０２及び第２密閉部材２０３を保持しているＡＤＦ１の筐体（不図示）に対してビスによって締結される。これにより、第２読取ユニット２０１の位置を調整可能となっている。また、軸部２０５及び係合孔２０１ａの中心線Ｒ２（回動中心）は、図７に示すように、読取ラインＲ１と交差している。換言すると、軸部２０５及び係合孔２０１ａの中心線Ｒ２（回動中心）は、読取ラインＲ１上（延長線上）に位置している。このため、搬送される原稿Ｄの斜行角度と、第２読取ユニット２０１の調整角度と、を同一にすることで、簡単に第２読取ユニット２０１の位置調整を完了することができる。なお、図８（ｂ）に示すように、調整レバー２０６を用いずに直接突出部２０１ｂを操作することで第２読取ユニット２０１を回動させてもよい。
【００４１】
図９（ａ）及び図９（ｂ）に示すように、弾性部材２０４は、第１密閉部材２０２及び第２密閉部材２０３によって加圧されているため、第２読取ユニット２０１を位置調整する前においても所定量つぶれている。即ち、弾性部材２０４は、第１密閉部材２０２と第２密閉部材２０３とで構成されるケース３００の開口２３１，２３２のうち、第２読取ユニット２０１が存在しない領域を埋めるように設けられている。このため、ケース３００は、第２読取ユニット２０１の突出部２０１ｂが開口２３２内を移動可能な範囲で、第２読取ユニット２０１を回動可能に収納している。この状態で、第２読取ユニット２０１の突出部２０１ｂが回動すると、突出部２０１ｂの回動軌跡に追随して弾性部材２０４が変形し、第１密閉部材２０２、第２密閉部材２０３及び弾性部材２０４からなる密閉部２００の密閉が維持される。すなわち、弾性部材２０４は、第２読取ユニット２０１の密閉状態を維持しつつ突出部２０１ｂの移動を許容して変形する。これにより、密閉部２００による第２読取ユニット２０１の密閉状態を維持したまま、第２読取ユニット２０１を位置調整することができ、原稿の読取精度を向上することができる。
【００４２】
＜第２の実施の形態＞
次いで、本発明の第２の実施の形態について説明するが、第１の実施の形態と同様の構成については、図示を省略、又は図に同一符号を付して説明する。
【００４３】
第２密閉部材２０３は、図１０に示すように、下方に突出する軸部２０５Ｂを有しており、第２読取ユニット２０１は、軸部２０５Ｂに対して回動可能に支持されている。軸部２０５Ｂの中心線Ｒ２は、第１の実施の形態と同様に、読取ラインＲ１（図７参照）上に位置している。このため、搬送される原稿Ｄの斜行角度と、第２読取ユニット２０１の調整角度と、を同一にすることで、簡単に第２読取ユニット２０１の位置調整を完了することができる。
【００４４】
なお、上述した第１及び第２の実施の形態においては、弾性部材２０４を第１密閉部材２０２及び第２密閉部材２０３によって挟み込むように構成していたが、これに限定されない。例えば、１つの密閉部材に、第２読取ユニット２０１の突出部２０１ｂが侵入可能な開口を形成し、この開口に弾性部材を圧入してもよい。
【００４５】
また、第１及び第２の実施の形態において、第２読取ユニット２０１の回動中心である中心線Ｒ２は、読取ラインＲ１上になくてもよく、軸部２０５，２０５Ｂ及び係合孔２０１ａの位置は限定されない。
【００４６】
また、第１及び第２の実施の形態において、第１読取ユニット１５１及び第２読取ユニット２０１は、ＣＩＳに限らず、ＣＣＤ（Ｃｈａｒｇｅ  Ｃｏｕｐｌｅｄ  Ｄｅｖｉｃｅ）を用いてもよい。また、画像読取装置１０３は、複写機、ファクシミリ、プリンタ、及び複合機等の様々な画像形成装置に搭載可能であると共に、単体でも使用することができる。
【符号の説明】
【００４７】
１０１：画像形成装置（プリンタ）／１０３：画像読取装置／１３３：画像形成部／２００：密閉部／２０１：読取部、読取ユニット（第２読取ユニット）／２０１ｂ：突出部／２０２：第１密閉部材／２０２ａ：案内部／２０３：第２密閉部材／２０４：変形部（弾性部材）／２０６：調整部（調整レバー）／２０８：付勢部（付勢部材）／２０９：透明部／２１１：センサ列（複数の受光素子）／Ｄ：シート（原稿）／Ｒ１：延長線（読取ライン）／Ｒ２：回動中心
【図１】
0006661465.tif 000002
【図２】
0006661465.tif 000003
【図３】
0006661465.tif 000004
【図４】
0006661465.tif 000005
【図５】
0006661465.tif 000006
【図６】
0006661465.tif 000007
【図７】
0006661465.tif 000008
【図８】
0006661465.tif 000009
【図９】
0006661465.tif 000010
【図１０】
0006661465.tif 000011
【図１１】
0006661465.tif 000012